(57)【特許請求の範囲】
【請求項１】
所定の保守料金の支払を条件として曲データの取り込み要求に応じて当該要求のあった曲データを提供するセンターホストに所定の回線を介して接続され、前記回線を介して当該センターホストから曲データの取り込みを行って、当該曲データに基づいてカラオケ処理を行うカラオケ装置において、
前記回線を介して前記センターホストに所定時間毎に前記保守料金の支払状況の問い合わせを行い、前記問い合わせに対する前記センターホストからの前記保守料金の支払い状況の回答から保守料金が支払われているか否かをチェックし、
前記保守料金が未支払であるときには、前記カラオケ処理の動作を停止状態にするまでの猶予期間をカウントするためのカウンタをカウントし、前記カウンタのカウント値が規定カウント値を越えると、前記カラオケ処理の動作を停止することを特徴とするカラオケ装置。
【請求項２】
報知手段を設け、前記カラオケ処理の動作を停止すると、その旨を前記報知手段により報知することを特徴とする請求項１記載のカラオケ装置。
【請求項３】
報知手段を設け、前記保守料金の支払い状況の問い合わせの結果が未支払であり、前記カウンタのカウント値が規定カウント値を越えていないときには、警告情報を前記報知手段により報知することを特徴とする請求項１又は請求項２記載のカラオケ装置。
【発明の詳細な説明】
【０００１】
【発明の属する技術分野】
本発明は、カラオケ装置に関し、詳細には、曲データを提供するホストセンターと回線で接続され、保守料金の支払いを条件としてセンターホストから曲データを取り込んでカラオケ処理を行うカラオケ装置に関する。
【０００２】
【従来の技術】
近年、カラオケにおいては、カラオケボックス等の普及に伴って、ＬＤを使用したいわゆるＬＤカラオケと比較して曲数が多く、新曲を公衆回線を利用して転送する通信カラオケが主流を占めるようになってきている。
【０００３】
この通信を利用したいわゆる通信カラオケ装置やカラオケシステムにおいては、センターホストと複数のコマンダー（カラオケ制御装置）が直接通信回線で接続されており、各コマンダーが曲データをセンターホストから取り込む場合、各コマンダーが直接センターホストと通信を行って、曲データの取り込みを行っている。
【０００４】
また、センターホストとローカルホストが通信回線で接続され、当該ローカルホストに複数のコマンダーがＣＣＴＶケーブルで接続されている場合には、ローカルホストが各コマンダーからの曲データの取り込み要求をうけて、ローカルホストがセンターホストに対して一括して曲データの取り込みを行い、取り込んだ曲データをローカルホストから各コマンダーに配信している。
【０００５】
このような通信カラオケにおいては、通常、各ユーザに対して、保守料金を月々徴収して、センターホストから各ユーザに対して、新曲等の最新情報の配信を行っている。
【０００６】
【発明が解決しようとする課題】
しかしながら、このような従来のカラオケシステムにあっては、保守料金を徴収して、新曲等の最新情報の配信を行っているが、盗難等により無断でコマンダを使用しているユーザや保守料金を支払っていないユーザと適切に保守料金を支払っているユーザとを適切に区別して、保守料金を支払っていないユーザへの新曲等の配信を中止し、いかに適切な運用を行うかが重要な課題となっている。
【０００７】
そこで、請求項１記載の発明は、回線を介してセンターホストに所定時間毎に保守料金の支払状況の問い合わせを行い、センターホストからの保守料金の支払い状況の回答から保守料金が支払われているか否かをチェックし、保守料金が未支払であるときには、カラオケ処理の動作を停止状態にするまでの猶予期間をカウントするためのカウンタをカウントし、そのカウンタのカウント値が規定カウント値を越えると、カラオケ処理の動作を停止することにより、盗難等で無断でカラオケ装置を使用しているユーザや保守料金を支払っていないユーザによる不正使用を適切に防止し、適切な運用を確保することのできるカラオケ装置を提供することを目的としている。
【０００８】
請求項２記載の発明は、カラオケ処理の動作を停止すると、その旨を報知手段により報知することにより、ユーザにカラオケ処理が適切に行われない理由を通知して、より一層適切な運用を確保することのできるカラオケ装置を提供することを目的としている。
【０００９】
請求項３記載の発明は、保守料金の支払い状況の問い合わせの結果が未支払であり、上記カウンタのカウント値が規定カウント値を越えていないときには、警告情報を報知手段により報知することにより、突然カラオケ装置が使用できなくなることの不具合を解消し、より一層適切な運用を確保することのできるカラオケ装置を提供することを目的としている。
【００１０】
【課題を解決するための手段】
請求項１記載の発明のカラオケ装置は、所定の保守料金の支払を条件として曲データの取り込み要求に応じて当該要求のあった曲データを提供するセンターホストに所定の回線を介して接続され、前記回線を介して当該センターホストから曲データの取り込みを行って、当該曲データに基づいてカラオケ処理を行うカラオケ装置において、前記回線を介して前記センターホストに所定時間毎に前記保守料金の支払状況の問い合わせを行い、前記問い合わせに対する前記センターホストからの前記保守料金の支払い状況の回答から保守料金が支払われているか否かをチェックし、前記保守料金が未支払であるときには、前記カラオケ処理の動作を停止状態にするまでの猶予期間をカウントするためのカウンタをカウントし、前記カウンタのカウント値が規定カウント値を越えると、前記カラオケ処理の動作を停止することにより、上記目的を達成している。
【００１１】
上記構成によれば、回線を介してセンターホストに所定時間毎に保守料金の支払状況の問い合わせを行い、センターホストからの保守料金の支払い状況の回答から保守料金が支払われているか否かをチェックし、保守料金が未支払であるときには、カラオケ処理の動作を停止状態にするまでの猶予期間をカウントするためのカウンタをカウントし、そのカウンタのカウント値が規定カウント値を越えると、カラオケ処理の動作を停止するので、盗難等で無断でカラオケ装置を使用しているユーザや保守料金を支払っていないユーザによる不正使用を適切に防止することができ、適切な運用を確保することができる。
【００１２】
この場合、例えば、請求項２に記載するように、前記カラオケ装置は、報知手段を設け、前記カラオケ処理の動作を停止すると、その旨を前記報知手段により報知するものであってもよい。
【００１３】
上記構成によれば、カラオケ処理の動作を停止すると、その旨を報知手段により報知するので、ユーザにカラオケ処理が適切に行われない理由を通知することができ、より一層適切な運用を確保することができる。
【００１４】
また、例えば、請求項３に記載するように、前記カラオケ装置は、報知手段を設け、前記保守料金の支払い状況の問い合わせの結果が未支払であり、前記カウンタのカウント値が規定カウント値を越えていないときには、警告情報を前記報知手段により報知するものであってもよい。
【００１５】
上記構成によれば、上記保守料金の支払い状況の問い合わせの結果が未支払であり、上記カウンタのカウント値が規定カウント値を越えていないときには、警告情報を報知手段により報知するので、突然カラオケ装置が使用できなくなることの不具合を解消することができ、より一層適切な運用を確保することができる。
【００１６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１７】
図１〜図８は、本発明のカラオケ装置の一実施の形態を示す図であり、図１は、本発明のカラオケ装置の一実施の形態の適用されるカラオケシステム１のシステム構成図である。
【００１８】
図１において、カラオケシステム１は、センターホスト２と、センターホスト２に所定の回線、例えば、ＩＳＤＮ公衆網（Integrated Services Digital Network：サービス総合デジタル網）３を介して接続されたカラオケ端末ＣＴ１〜ＣＴｎを備えており、各カラオケ端末（カラオケ装置）ＣＴ１〜ＣＴｎは、カラオケ環境を提供する設備、例えば、カラオケボックス等に設置される。
【００１９】
センターホスト２は、曲データ及び天気予報やニュース等の情報を管理し、モデム等のＩＳＤＮ公衆網３の種類に応じた通信部を備えて、ＩＳＤＮ公衆網３を介して各カラオケ端末ＣＴ１〜ＣＴｎから曲データの取り込み要求や情報要求を受け付けて、当該取り込み要求のあった曲データや天気予報やニュース等の情報をＩＳＤＮ公衆網３を介してカラオケ端末ＣＴ１〜ＣＴｎに送信する。
【００２０】
各カラオケ端末ＣＴ１〜ＣＴｎは、それぞれ、図２に示すように、コマンダ１０、モニター１１、マイク１２、スピーカ１３、アンプ１４、ＴＶアンテナ１５及び音響・映像再生装置１６等を備えている。
【００２１】
コマンダ１０は、上記ＩＳＤＮ公衆網３に接続されており、後述するように、カラオケ端末ＣＴ１〜ＣＴｎの中核をなしている。ＴＶアンテナ１５は、通常のテレビアンテナであり、テレビ電波を受信してコマンダ１０に出力する。モニター１１は、コマンダ１０から入力されるカラオケの背景映像や歌詞及び天気予報等の情報を表示するとともに、ＴＶアンテナ１５を介して受信したテレビ映像を表示し、マイク１２は、カラオケ演奏に応じて歌唱される歌声を集音して、コマンダ１０に出力する。アンプ１４は、コマンダ１０から出力されるカラオケ音声やテレビ音声を増幅してスピーカ１３に出力し、スピーカ１３は、アンプ１４から入力される音声信号を拡声出力する。音響・映像再生装置１６は、一般に、レーザーディスク、ＤＶＤ、ビデオＣＤ等が使用されており、ソフトウエアーには、曲の背景映像や一部曲の音響が入っている。また、音響・映像再生装置１６は、背景映像の種類を多くするために、複数枚のディスクを使用しており、ディスクを入れ換えてプレイヤに設定するチェンジャーを備えている。
【００２２】
上記コマンダ１０は、図３に示すように構成されており、システム制御部２１、ＲＯＭ（Read Only Memory）部２２、ＲＡＭ（Random Access Memory）部２３、ＴＶチューナー部２４、磁気ディスク装置２５、操作部インターフェイス部２６、リモコン部２７、リモコン２８、電源部２９、呼制御部２９、網インターフェイス部３０、通信プロトコル部３１、画面分割制御部３２、画面制御部３３、文字・フォント制御部３４、ＭＩＤＩ（Musical Instrument Digital Interface）音源制御部３５、電子ボリューム３６、音声エフェクト部３７、音声入力部３８、プロッタ部３９及び音響・映像再生装置インターフェイス部４０等を備えており、上記主要各部は、バス４１により接続されている。
【００２３】
ＲＯＭ部２２には、コマンダ１０の電源が立ち上がった時点で起動するブート用プログラムが格納されており、ＲＡＭ部２３は、ワークメモリとして利用される。磁気ディスク装置２５は、コマンダ１０、すなわち、カラオケ端末ＣＴ１〜ＣＴｎとしての基本処理プログラムやフォントデータを予め格納しているとともに、センターホスト２と通信して受信した各曲データや新曲のＭＩＤＩデータが蓄積される。
【００２４】
システム制御部２１は、電源がオンされたときに、ＲＯＭ部２２のブート用プログラムによりコマンダ１０の初期設定を行うとともに、磁気ディスク装置２５内のプログラムに基づいてコマンダ１０の各部を制御して、コマンダ１０としての処理を制御する。
【００２５】
ＴＶチューナー部２４には、上記ＴＶアンテナ１５が接続され、ＴＶアンテナ１５で受信したテレビ電波の再生処理を行う。
【００２６】
操作部インターフェイス部２６には、図示しない操作表示部が接続されており、操作表示部には、コマンダ１０を操作するのに必要な各種キーやディスプレイが備えられている。操作表示部に備えられているキーとしては、例えば、曲番号入力用のテンキー、ボリュウム調整キー、スタートキー、取り消しキー及びＴＶ機能を操作するための各種キー等があり、ディスプレイには、上記各キーの操作状況や現在の曲の入力状況等が表示される。また、操作部インターフェイス部２６は、リモコン２７とのインターフェイスを備えており、リモコン２７は、上記操作表示部と同様のキーやディスプレイを備え、コマンダ１０をリモートコントロールすることができる。上記操作表示部のディスプレイ、リモコン２７のディスプレイ及びモニター１１は、後述するように、報知手段として機能する。
【００２７】
電源部２８は、商用電源を変圧してコマンダ１０の各部に必要な電源を供給している。
【００２８】
網インターフェイス部３０には、上記ＩＳＤＮ公衆網３が接続され、ＩＴＵ（International Telecommunication Union：国際電気通信連合）勧告に従って、通信手順を実行する。ＩＳＤＮ公衆網３は、６４Ｋｂｐｓの伝送速度を有するＢチャネルを２本と、主に呼制御を行うＤチャネルを１本使用することができ、Ｄチャネルのデータは、呼制御部２９で処理されて、ＩＴＵ勧告に従って、発振や着信等の処理が行われる。網インターフェイス部３０は、網インターフェイス３０を介してＩＳＤＮ公衆網３に接続されており、Ｂチャネル上のデータを所定のプロトコルに従ってセンターホスト２とＭＩＤＩデータ（曲データ）や情報データ（ニュース、天気予報等）の通信を行う。
【００２９】
画面制御部３３は、ビデオＲＡＭを内蔵しており、音響・映像再生インターフェイス部４０から転送されてくる歌詞映像データと文字・フォント制御部３４から入力される歌詞データを合成して、モニター１１に表示させる。
【００３０】
すなわち、音響・映像再生装置インターフェイス部４０には、上記音響・映像再生装置１６が接続されており、音響・映像再生装置インターフェイス部４０は、システム制御部２１から指定された背景映像データを音響・映像再生装置１６から取り出して、画面制御部３３に出力する。文字フォント制御部３４は、歌詞データに従って磁気ディスク装置２５からフォントデータを取り出して展開して、画面制御部３３に出力するとともに、曲の進行に合わせて当該歌詞データのフォントデータの色替えを行う。そして、画面制御部３３は、音響・映像再生装置インターフェイス部４０から転送されてきた背景映像データを内部ビデオＲＡＭに一時格納するとともに、歌詞データと合成して、モニター１１に表示出力させる。また、画面制御部３３は、ＴＶチューナー部２４でチューニングされたテレビ画像をモニター１１に表示させる。
【００３１】
画面制御部３３には、画面分割制御部３２が接続されており、画面分割制御部３２は、モニター１１に表示する表示画面の分割処理を行う。
【００３２】
音声入力部３８は、マイク１２で集音されて発振された歌唱音声の電波を受信して、音声エフェクト部３７に出力し、音声エフェクト部３７は、音声入力部３８から入力される音声信号に各種加工を行う機能、例えば、男性の声を女性の声に、女性の声を男性の声に加工するボイスチェンジ機能や音声をだぶらせて出力するダブリ機能等を備えている。音声エフェクト部３７は、音声入力部３８から入力される音声に上記各種加工処理を行って、ＭＩＤＩ音源制御部３５に出力する。
【００３３】
ＭＩＤＩ音源制御部３５は、ＭＩＤＩデータを再生して、電子ボリューム３６に出力するとともに、音声エフェクト部３７から入力される歌唱音声を電子ボリューム３６に出力する。電子ボリューム３６は、ＭＩＤＩ音源制御部３５から入力されるＭＩＤＩデータの再生音と音声エフェクト部３７から入力される歌唱音声を音量調整等を行った後、上記図２に示したアンプ１４に出力し、アンプ１４は、入力される楽音をスピーカ１３から拡声出力する。
【００３４】
プロッタ部３９は、システム制御部２１の制御下で動作して、受信した歌詞データ、天気予報及びニュース等の各種情報を所定の記録紙に記録出力する。
【００３５】
各カラオケ端末ＣＴ１〜ＣＴｎは、リモコン２７を使用して曲番号が入力されることにより、カラオケの曲の選曲が行われると、このリモコン２７の入力を操作部インターフェイス部２６で受信して、システム制御部２１が磁気ディスク装置２５内に当該選曲された曲があるか検索し、選曲された曲があるときには、磁気ディスク装置２５内の当該曲の音楽データ（曲データ）を解析する。このとき、システム制御部２１は、選曲された曲が磁気ディスク装置２５に無いときには、呼制御部２９、網インターフェイス部３０及び通信プロトコル部３１を介してセンターホスト２に対応する曲の音楽データの取り込み要求を行って、当該取り込み要求に応じてセンターホスト２から音楽データが送信されてくると、当該送信されてきた音楽データを受信して、磁気ディスク装置２５に格納する。この音楽データは、通常、図４に示すように、データサイズ、曲番号、曲名称、動画データ、静止画像データ、タイミングデータ、曲種類、歌手データ、タイトルデータ、サブタイトルデータ、歌詞データ、ワード色替えデータ、曲長変更データ及び音データ（ＭＩＤＩ）等からなっている。
【００３６】
各カラオケ端末ＣＴ１〜ＣＴｎのコマンダ１０は、音楽データを取得すると、上述のように、どの背景映像を使用するかを示す動画データあるいは静止画像データに基づいて音響・映像再生装置１６から対応する映像を再生させて、音響・映像再生装置インターフェイス部４０を介して画面制御部３３に当該映像データを転送し、モニター１１に表示させるとともに、歌詞データに従って文字・フォント制御部３４でフォントデータを取り出して展開し、映像データに合成してモニター１１に表示させる。また、ＭＩＤＩデータ（音データ）をＭＩＤＩ音源制御部３５で再生して電子ボリューム３６及びアンプ１４を介してスピーカ１３から拡声出力させるとともに、マイク１２から入力された音声を音声入力部３８で受信して、音声エフェクト部３７で適当なエフェクトを付加した後、ＭＩＤＩ音源制御部３５、電子ボリューム３６及びアンプ１４を介してスピーカ１３から拡声出力させる。
【００３７】
また、各カラオケ端末ＣＴ１〜ＣＴｎは、採点モード、チェンジボイスモード及びカラオケモード等の各種モードを備えており、当該モードの設定操作がリモコン２７を使用して行われる。システム制御部２１は、このモード設定操作された各モード情報をＲＡＭ部２３に格納し、当該ＲＡＭ部２３のモード情報に対応する各種処理を行う。
【００３８】
次に、本実施の形態の作用を説明する。本実施の形態のカラオケ端末ＣＴ１〜ＣＴｎは、定期的にセンターホスト２に当該カラオケ端末ＣＴ１〜ＣＴｎが適切に保守料金を支払っているか、また、使用されているかの問い合わせを行って、保守料金が支払われていなかったり、適切に使用されていないときには、コマンダー１０の使用を自動的に停止するところにその特徴がある。
【００３９】
すなわち、カラオケシステム１は、図５に示すように、各カラオケ端末ＣＴ１〜ＣＴｎのコマンダ１０が、所定時間毎（例えば、１日１回所定の決まった時刻）に、曲をセンターホスト２に取りに行ったときに、また、カラオケ端末ＣＴ１〜ＣＴｎの電源がオンにされたとき等に、システム制御部２１の制御下で、呼制御部２９及び網インターフェイス部３０を介してセンターホスト２に発呼し、センターホスト２が応答すると、当該コマンダ１０の属するカラオケ端末ＣＴ１〜ＣＴｎの所有者（ユーザ）からセンターホスト２に対して保守料金が支払われているかどうかの保守料金の支払い状況の問い合わせ及びセンターホスト２との通信状況の問い合わせを行う（ステップＳ１）。
【００４０】
センターホスト２は、図６に示すように、保守料金の支払状況を各ユーザ、すなわち、カラオケ端末ＣＴ１〜ＣＴｎ毎に当該カラオケ端末ＣＴ１〜ＣＴｎを特定する情報、例えば、整理番号、ユーザ情報（住所）、コマンダ情報（管理番号）及び通信種別等とともに、ユーザ管理ファイルとして内部メモリに記憶しており、上記保守料金の支払い状況の問い合わせが各カラオケ端末ＣＴ１〜ＣＴｎのコマンダー１０からあると、ユーザ管理ファイルを検索して、当該カラオケ端末ＣＴ１〜ＣＴｎの保守料金の支払い状況を当該カラオケ端末ＣＴ１〜ＣＴｎのコマンダー１０に返送する。また、図示しないが、センターホスト２は、当該ユーザ管理ファイルにセンターホスト２との通信状況を示す情報、例えば、最後にセンターホスト２と通信した日時情報や通信を行っていない期間等の情報を記憶している。
【００４１】
保守料金の支払い状況の問い合わせを行ったコマンダー１０は、センターホスト２から保守料金の支払い状況の回答が返送されてくると、システム制御部２１が当該回答から保守料金が支払われているか否かチェックする（ステップＳ２）。ステップＳ２で、保守料金が支払われているときには、システム制御部２１は、コマンダー１０の動作を停止状態（ロック状態）にするまでの猶予期間をカウントするためのＡカウンタをリセットして（カウンタＡ＝０）、ステップＳ１に戻り（ステップＳ３）、上記同様に、所定時期に、保守料金の支払い状況の問い合わせをセンターホスト２に行う（ステップＳ１、Ｓ２）。
【００４２】
ステップＳ２で、保守料金の支払い状況の問い合わせの結果が未支払であると、システム制御部２１は、図７に示すように、例えば、「ホストと通信がされていないか、保守料金が支払われておりません。早急にサービスセンターにご連絡ください。あと、××日で、使用できなくなります。」等の警告情報を画面制御部３３を介して報知手段としてのモニター１１に表示し、また、操作表示部のディスプレイやリモコン２７のディスプレイに表示して報知し（ステップＳ４）、上記Ａカウンタを「１」だけインクリメントする（ステップＳ５）。
【００４３】
システム制御部２１は、Ａカウンタをインクリメントすると、当該Ａカウンタが予め設定されている規定カウント値、例えば、数日を越えたかチェックし（ステップＳ６）、Ａカウンタのカウント値が規定カウント値を越えていないときには、何らかのキーが押下されたか、あるいは、所定時間経過するまで、上記警告表示を行う（ステップＳ７、Ｓ８）。ステップＳ７で、何らかのキーが押下されるか、所定時間経過すると、システム制御部２１は、ステップＳ１に戻って、センターホスト２への支払状況の問い合わせから上記同様に処理する（ステップＳ１、Ｓ２、Ｓ４〜Ｓ６）。
【００４４】
そして、上記処理を繰り返し行って、ステップＳ６で、Ａカウンタのカウント値が規定カウント値を越えると、システム制御部２１は、猶予期間が経過したと判断して、画面制御部３３を介してモニター１１に、図８に示すように、保守料金が支払われていないため、使用できない旨等を表示し（ステップＳ９）、コマンダー１０をロック状態にして、処理を終了する（ステップＳ１０）。
【００４５】
なお、上記Ａカウンタのカウントを開始した後、Ａカウンタのカウント値が規定カウント値を越えるまでに、センターホスト２への保守料金の支払いが行われると、ステップＳ１で、コマンダー１０からセンターホスト２への保守料金の支払状況の問い合わせに対してセンターホスト２は、保守料金が支払われている旨の回答をコマンダー１０に返すこととなり、当該コマンダー１０のシステム制御部２１は、ステップＳ１で、保守料金が支払われたことを認識する。
【００４６】
なお、上記図５には、保守料金についてのみ、センターホスト２に問い合わせを行って、保守料金が支払われているか否かによってコマンダー１０のロックを行うか否か処理する場合について示しているが、センターホスト２への通信状況、特に、曲データの取り込み要求の頻度の問い合わせを行って、当該通信状況に基づいてコマンダー１０をロックするか否か制御するようにしてもよい。
【００４７】
このように、本実施の形態のカラオケ端末ＣＴ１〜ＣＴｎは、図９に示すように、使用可能な通常状態で、保守料金が未納であると、警告状態に移行し、なおかつ保守料金未納の状態が所定期間（カウンタＡが規定カウント数をカウントする期間）継続すると、コマンダーロック状態とする。そして、警告状態あるいはコマンダーロック状態において、保守料金の支払が行われたことを確認すると、通常状態に戻る。
【００４８】
すなわち、カラオケ端末ＣＴ１〜ＣＴｎは、ＩＳＤＮ公衆網３を介してセンターホスト２に所定期間毎に保守料金の支払状況あるいは曲データの取り込み要求の頻度の問い合わせを行い、センターホスト２から保守料金の未支払い状態、あるいは、曲データの取り込み要求の未要求期間が所定期間継続していることが通知されると、カラオケ処理の動作を自動停止する。
【００４９】
したがって、盗難等で無断でカラオケ端末ＣＴ１〜ＣＴｎを使用しているユーザや保守料金を支払っていないユーザによる不正使用を適切に防止することができ、適切な運用を確保することができる。
【００５０】
また、各カラオケ端末ＣＴ１〜ＣＴｎは、カラオケ処理を自動停止すると、その旨を報知しているので、ユーザにカラオケ処理が適切に行われない理由を通知することができ、より一層適切な運用を確保することができる。
【００５１】
さらに、カラオケ処理の自動停止を行う所定期間前に、カラオケ処理の自動停止を行う旨を報知しているので、突然カラオケ端末ＣＴ１〜ＣＴｎが使用できなくなることの不具合を解消することができ、より一層適切な運用を確保することができる。
【００５２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５３】
【発明の効果】
請求項１記載の発明のカラオケ装置によれば、回線を介してセンターホストに所定時間毎に保守料金の支払状況の問い合わせを行い、センターホストからの保守料金の未支払い状態の支払い状況の回答から保守料金が支払われているか否かをチェックし、保守料金が未支払であるときには、カラオケ処理の動作を停止状態にするまでの猶予期間をカウントするためのカウンタをカウントし、そのカウンタのカウント値が規定カウント値を越えると、カラオケ処理の動作を停止するので、盗難等で無断でカラオケ装置を使用しているユーザや保守料金を支払っていないユーザによる不正使用を適切に防止することができ、適切な運用を確保することができる。
【００５４】
請求項２記載の発明のカラオケ装置によれば、カラオケ処理の動作を停止すると、その旨を報知手段により報知するので、ユーザにカラオケ処理が適切に行われない理由を通知することができ、より一層適切な運用を確保することができる。
【００５５】
請求項３記載の発明のカラオケ装置によれば、上記保守料金の支払い状況の問い合わせの結果が未支払であり、上記カウンタのカウント値が規定カウント値を越えていないときには、警告情報を報知手段により報知するので、突然カラオケ装置が使用できなくなることの不具合を解消することができ、より一層適切な運用を確保することができる。
【図面の簡単な説明】
【図１】本発明のカラオケ装置の一実施の形態を適用したカラオケ端末の適用されるカラオケシステムのシステム構成図。
【図２】図１の各カラオケ端末の概略構成図。
【図３】図２のコマンダーの詳細な回路ブロック図。
【図４】図１のカラオケ端末で使用される音楽データの一例を示す図。
【図５】図３のコマンダーによるセキュリティ処理を示すフローチャート。
【図６】図１のセンターホストの備えているユーザ管理ファイルの一例を示す図。
【図７】図５のセキュリティ処理でコマンダーをロックする前にモニターに表示するロック前情報の一例を示す図。
【図８】図５のセキュリティ処理でコマンダーをロックしたときにモニターに表示するロック情報の一例を示す図。
【図９】図１のカラオケシステムによる通常状態、警告状態及びコマンダーロック状態の状態遷移の説明図。
【符号の説明】
１  カラオケシステム
２  センターホスト
３  ＩＳＤＮ公衆網
ＣＴ１〜ＣＴｎ  カラオケ端末
１０  コマンダー
１１  モニター
１２  マイク
１３  スピーカ
１４  アンプ
１５  ＴＶアンテナ
１６  音響・映像再生装置
２１  システム制御部
２２  ＲＯＭ部
２３  ＲＡＭ部
２４  ＴＶチューナー部
２５  磁気ディスク装置
２６  操作部インターフェイス部
２７  リモコン
２８  電源部
２９  呼制御部
３０  網インターフェイス部
３１  通信プロトコル部
３２  画面分割制御部
３３  画面制御部
３４  文字・フォント制御部
３５  ＭＩＤＩ音源制御部
３６  電子ボリューム
３７  音声エフェクト部
３８  音声入力部
３９  プロッタ部
４０  音響・映像再生装置インターフェイス部
４１  バス
【図１】
0003804895.tif 000002
【図２】
0003804895.tif 000003
【図３】
0003804895.tif 000004
【図４】
0003804895.tif 000005
【図５】
0003804895.tif 000006
【図６】
0003804895.tif 000007
【図７】
0003804895.tif 000008
【図８】
0003804895.tif 000009
【図９】
0003804895.tif 000010